(57)【要約】【課題】  表示装置の投射状況を示す諸情報から表示装置は投射環境を把握し、ユーザーが不快に思わない方向へ自動で排気方向を切り替えることを可能にした表示装置を提供することである。【解決手段】  光源と、前記光源から射出した光を変調し光学像を形成する画像形成部と、前記光源と前記画像形成部を制御する主制御処理部と、前記像形成部により形成された前記光学像を投射する投射光学系とを備えた表示装置であって、加熱された空気を表示装置外へ送風するための排気制御部と、前記排気制御部から送風された空気の排気方向を変更可能な排気方向変更部と、前記排気方向変更部を制御する排気方向制御部を備え、前記排気方向変更部と前記排気方向制御部によって定められた排気方向の排気口から排気することを特徴とした表示装置。【選択図】  図１
2010271579.tif 000002
【特許請求の範囲】
【請求項１】
光源と、前記光源から射出した光を変調し光学像を形成する画像形成部と、前記光源と前記画像形成部を制御する主制御処理部と、前記像形成部により形成された前記光学像を投射する投射光学系とを備えた表示装置であって、加熱された空気を表示装置外へ送風するための排気制御部と、前記排気制御部から送風された空気の排気方向を変更可能な排気方向変更部と、前記排気方向変更部を制御する排気方向制御部を備え、前記排気方向変更部と前記排気方向制御部によって定められた排気方向の排気口から排気することを特徴とした表示装置。
【請求項２】
ルーバーによって排気方向を変更する前記排気方向変更部を備えたことを特徴とした請求項１に記載の表示装置。
【請求項３】
投射距離を計測する投射距離計測部を備え、前記投射距離計測部から取得した投射距離情報を用いて前記排気方向制御部によって前記排気方向変更部を制御し、排気方向を変更することを特徴とした請求項１、および請求項２に記載の表示装置。
【請求項４】
フォーカス機能を有する前記投射光学系であって、前記投射光学系からフォーカス調整情報を取得するフォーカスエンコーダ部を備え、前記フォーカスエンコーダ部によって取得した前記フォーカス調整情報を用いて、前記排気方向制御部によって前記排気方向変更部を制御し、排気方向を変更することを特徴とした請求項１から請求項３に記載の表示装置。
【請求項５】
異なる特性を持ち、特性情報を保持した前記投射光学系が複数種類用意され、前記投射光学系の交換が可能な表示装置であって、前記投射光学系の持つ前記特性情報を取得する投射光学系検知部を備え、前記投射光学系検知部によって取得した前記特性情報を用いて、前記排気方向制御部によって前記排気方向変更部を制御し、排気方向を変更することを特徴とした請求項１から請求項４に記載の表示装置。
【請求項６】
異なる特性を持ち、特性の違いによって割付けられたＩＤ情報を保持した前記投射光学系が複数種類用意され、前記投射光学系の交換が可能な表示装置であって、前記投射光学系の前記ＩＤ情報を取得する前記投射光学系検知部を備え、前記投射光学系検知部によって取得した前記ＩＤ情報を用いて、前記排気方向制御部によって前記排気方向変更部を制御し、排気方向を変更することを特徴とした請求項１から請求項５に記載の表示装置。
【請求項７】
投射距離・投射角度の特性が異なり、投射距離・投射角度情報を保持した前記投射光学が複数種類用意され、前記投射光学系の交換が可能な表示装置であって、前記投射光学系の保持する前記投射距離・投射角度情報を取得する前記投射光学系検知部を備え、前記投射光学系検知部によって取得した前記投射距離・投射角度情報を用いて、前記排気方向制御部によって前記排気方向変更部を制御し、排気方向を変更することを特徴とした請求項１から請求項６に記載の表示装置。
【発明の詳細な説明】
【技術分野】
【０００１】
本発明は、表示装置に関し、特に排気制御に関するものである。
【背景技術】
【０００２】
従来、映像をスクリーン上に拡大投射する表示装置において、光源の熱を筐体の外部へ逃す必要があり、排気口から出る排気と、熱を筐体の外部へ逃がすためのファンのノイズがユーザーを不快にさせる問題があった。これに対し、特許文献１では、伸縮と折り曲が自在の排気用ダクトの着脱が可能は排気口を備え、ユーザーが取り付けた排気用ダクトを任意に折り曲げ、伸縮させることによって、ユーザーの不快に思わない方向へ排気方向を変更することが可能な表示装置が提案されている。
【０００３】
一方、特許文献2では、排気方向を自動制御する方法として、人感センサを備えた表示装置を提案している。
【先行技術文献】
【特許文献】
【０００４】
【特許文献１】特開平９−３１９００７号公報
【特許文献２】特開２００６−１０６４６１号公報
【発明の概要】
【発明が解決しようとする課題】
【０００５】
しかしながら、上述の特許文献１に開示された従来技術では、ユーザーが不快に思わない方向への排気の制御を行う際に、ユーザーが任意の方向へ排気を制御しなければならない煩わしさがある。また見栄えも好ましくない。
【０００６】
上述の特許文献２に開示される従来技術では、人感センサ等を用いた排気方向の制御を行っている。しかし、排気方向の制御を行うために新にセンサを追加する必要があり、余計なコストが増えてしまい、好ましい方法ではない。
【０００７】
そこで、表示装置の投射状況を示す諸情報から表示装置は投射環境を把握し、ユーザーが不快に思わない方向へ自動で排気方向を切り替えることを可能にした表示装置を提供することである。
【課題を解決するための手段】
【０００８】
本発明の表示装置は、光源と、前記光源から射出した光を変調し光学像を形成する画像形成部と、前記光源と前記画像形成部を制御する主制御処理部と、前記像形成部により形成された前記光学像を投射する投射光学系とを備えた表示装置であって、加熱された空気を表示装置外へ送風するための排気制御部と、前記排気制御部から送風された空気の排気方向を変更可能な排気方向変更部と、前記排気方向変更部を制御する排気方向制御部を備え、前記排気方向変更部と前記排気方向制御部によって定められた排気方向の排気口から排気することを特徴とした表示装置。
【０００９】
本発明の表示装置は、ルーバーによって排気方向を変更する前記排気方向変更部を備えたことを特徴とした請求項１、および請求項２に記載の表示装置。
【００１０】
本発明の表示装置は、投射距離を計測する投射距離計測部を備え、前記投射距離計測部から取得した投射距離情報を用いて前記排気方向制御部によって前記排気方向変更部を制御し、排気方向を変更することを特徴とした請求項１から請求項３に記載の表示装置。
【００１１】
本発明の表示装置は、フォーカス機能を有する前記投射光学系であって、前記投射光学系からフォーカス調整情報を取得するフォーカスエンコーダ部を備え、前記フォーカスエンコーダ部によって取得した前記フォーカス調整情報を用いて、前記排気方向制御部によって前記排気方向変更部を制御し、排気方向を変更することを特徴とした請求項１から請求項４に記載の表示装置。
【００１２】
本発明の表示装置は、異なる特性を持ち、特性情報を保持した前記投射光学系が複数種類用意され、前記投射光学系の交換が可能な表示装置であって、前記投射光学系の持つ前記特性情報を取得する投射光学系検知部を備え、前記投射光学系検知部によって取得した前記特性情報を用いて、前記排気方向制御部によって前記排気方向変更部を制御し、排気方向を変更することを特徴とした請求項１から請求項５に記載の表示装置。
【００１３】
本発明の表示装置は、異なる特性を持ち、特性の違いによって割付けられたＩＤ情報を保持した前記投射光学系が複数種類用意され、前記投射光学系の交換が可能な表示装置であって、前記投射光学系の前記ＩＤ情報を取得する前記投射光学系検知部を備え、前記投射光学系検知部によって取得した前記ＩＤ情報を用いて、前記排気方向制御部によって前記排気方向変更部を制御し、排気方向を変更することを特徴とした請求項１から請求項６に記載の表示装置。
【００１４】
本発明の表示装置は、投射距離・投射角度の特性が異なり、投射距離・投射角度情報を保持した前記投射光学が複数種類用意され、前記投射光学系の交換が可能な表示装置であって、前記投射光学系の保持する前記投射距離・投射角度情報を取得する前記投射光学系検知部を備え、前記投射光学系検知部によって取得した前記投射距離・投射角度情報を用いて、前記排気方向制御部によって前記排気方向変更部を制御し、排気方向を変更することを特徴とした請求項１から請求項７に記載の表示装置。
【発明の効果】
【００１５】
請求項１に記載の発明によれば、排気方向制御部によって排気方向変更部を制御し、排気の方向を変更することが可能である。
【００１６】
請求項２に記載の発明によれば、排気方向制御部によって制御される、排気方向変更部にルーバーを用いることで、排気の方向を変更することが出来る。
【００１７】
請求項３に記載の発明によれば、投射距離計測部によって投射距離を計測し、取得した投射距離情報を用いて、排気方向制御部によって排気方向変更部を制御し、排気の方向を変更することが可能である。
【００１８】
請求項４に記載の発明によれば、フォーカス機能を有する投射光学系から、フォーカスエンコーダ部によって取得されたフォーカス調整情報を用いて、排気方向制御部によって排気方向変更部を制御し、排気の方向を変更することが可能である。
【００１９】
請求項５に記載の発明によれば、異なる特性を持つ複数種類用意された投射光学系の交換が可能であり、表示装置に設置された投射光学系から投射光学系検出部によって取得した投射光学系の特性情報を用いて、排気方向制御部によって排気方向変更部を制御し、排気の方向を変更することが可能である。
【００２０】
請求項６に記載の発明によれば、異なる特性を持ち、特性の違いによって割付けられたＩＤ情報を保持した複数種類用意された投射光学系の交換が可能であり、表示装置に設置された投射光学系から投射光学系検出部によって取得した投射光学系のＩＤ情報を用いて、排気方向制御部によって排気方向変更部を制御し、排気の方向を変更することが可能である。
【００２１】
請求項７に記載の発明によれば、投射距離・投射角度の異なる特性を持つ複数種類用意された投射光学系の交換が可能であり、表示装置に設置された投射光学系から投射光学系検出部によって取得した投射光学系の投射距離・投射角度情報を用いて、排気方向制御部によって排気方向変更を制御し、排気の方向を変更することが可能である。
【図面の簡単な説明】
【００２２】
【図１】本発明の実施形態に係る表示装置１００の構成図。
【図２】本発明の実施形態に係る表示装置１００の投射距離計測部１０５によって取得した投射距離情報を用いた排気方向制御動作を示すフローチャート。
【図３】本発明の実施形態に係る表示装置１００のフォーカスエンコーダ部１０６によって取得したフォーカス調整情報を用いた排気方向制御動作を示すフローチャート。
【図４】本発明の実施形態に係る表示装置１００の投射光学系検知部１０７によって取得した投射光学系ＩＤ情報を用いた排気方向制御動作を示すフローチャート。
【図５】本発明の実施形態に係る表示装置１００の投射光学系検知部１０７によって取得した投射光学系の投射距離・投射角度情報を用いた排気方向制御動作を示すフローチャート。
【図６】本発明の実施形態に係る表示装置１００の設置例を示す説明図。
【図７】本発明の実施形態に係る表示装置１００の設置例を示す説明図。
【発明を実施するための形態】
【００２３】
（実施例１）
以下に、本発明の好ましい実施の形態を、添付の図面に基づいて詳細に説明する。
【００２４】
図１は表示装置１００の内部構成を示した図である。表示装置１００は以下のような部分を備える。
【００２５】
光源部１０１と、光源部１０１から射出した光を変調し、光学像を形成する画像形成部１０２と、光源部１０１と画像形成部１０２を制御する主制御処理部１０３を備える。主制御処理部１０３は、ユーザーの本体ボタン押下やリモコンボタン押下等の操作に応じて光源部１０１と画像形成部１０２を制御する。
【００２６】
画像形成部１０２で形成された光学像をスクリーン１へ投射する投射光学系１０４を備える。投射光学系１０４はフォーカス機能を有している。
【００２７】
光学像を投射する対象と表示装置１００との距離を計測する投射距離計測部１０５を備える。
【００２８】
投射光学系１０４のフォーカス調整情報を取得するフォーカスエンコーダ部１０６を備える。
【００２９】
投射光学系１０４の特性情報を取得する投射光学系検知部１０７を備える。
【００３０】
表示装置１００内部にある加熱された空気を外部へ送風する排気制御部１０８と、排気制御部１０８から送風される表示装置１００内部にある加熱された空気の排気方向の変更が可能な排気方向変更部１０９を備える。
【００３１】
表示装置１００は投射距離計測部１０５によって取得した投射距離情報を用いて、現在の表示装置１００の設置環境を把握し、排気方向変更部１０９を制御して表示装置１００の設置環境に合わせた排気方向の変更を行う排気方向制御部１１０を備える。
【００３２】
排気方向制御部１１０は、フォーカスエンコーダ部１０６によって取得した投射光学系１０４の現在のフォーカス調整情報を用いて、現在の表示装置１００の設置環境を把握し、排気方向変更部１０９の制御を行っても良い。
【００３３】
排気方向制御部１１０は、投射光学系検知部１０７によって取得された投射光学系１０４の特性情報を用いて、排気方向変更部１０９の制御を行っても良い。
【００３４】
投射光学系検知部１０７は投射光学系１０４が保持する特性別に割付けられたＩＤ情報を取得しても良く、排気方向制御部１１０は、投射光学系検知部１０７によって取得されたＩＤ情報を用いて、排気方向変更部１０９の制御を行っても良い。
【００３５】
投射光学系検知部１０７は投射光学系１０４が保持する投射距離・投射角度情報を取得しても良く、排気方向制御部１１０は投射光学系検知部１０７によって取得された投射光学系１０４の投射距離・投射角度情報を用いて、排気方向変更部１０９の制御を行っても良い。
【００３６】
表示装置１００内部から排気制御部１０８によって送風された空気は、排気方向変更部１０９と排気方向制御部１１０によって定められた排気方向の排気口１１１を通して表示装置１００外部へ排気される。
【００３７】
図２を参照して、本発明の第1の実施例による、排気方向制御方法についての一例を示している。
【００３８】
ユーザーによる表示装置１００の本体ボタンやリモコンボタンの押下などの操作によって一連の処理が実行される。
【００３９】
ステップＳ１１は、表示装置１００は電源スタンバイ状態から電源オン状態へ状態遷移し、主制御処理部１０３から発行された命令により光源部１０１から光を射出し、画像形成部１０２では光源部１０１から射出された光を変調し、投射光学系１０４を通してスクリーン１に投射を開始するステップである。
【００４０】
ステップＳ１２は、投射を開始した表示装置１００の内部で加熱された空気を表示装置１００の外部へ排気するために、排気制御部１０８が排気処理を開始するステップである。
【００４１】
ステップＳ１３は、投射距離計測部１０５が投射距離を計測し、投射距離情報を取得するステップである。
【００４２】
ステップＳ１４は、ステップＳ１３で投射距離計測部１０５によって取得した投射距離情報を排気方向制御部１１０によって判定を行うステップである。
【００４３】
ステップＳ１５は、ステップＳ１４で行われた投射距離情報の判定結果から、排気方向を変更する必要があればＳ１6へ進み、排気方向を変更する必要が無ければ、終了ステップへ進むように処理を分岐するステップである。
【００４４】
ステップＳ１6は、ステップＳ１5で排気方向を変更する必要があると判断された場合、排気方向制御部１１０によって排気方向変更部１０９であるルーバーの傾きを変更し、排気方向を変更するステップである。
【００４５】
図３を参照して、本発明の第２の実施例による、排気方向制御方法についての一例を示している。
【００４６】
ユーザーによる表示装置１００の本体ボタンやリモコンボタンの押下などの操作によって一連の処理が実行される。
【００４７】
ステップＳ２１は、表示装置１００が電源スタンバイ状態から電源オン状態へ状態遷移し、主制御処理部１０３から発行された命令により光源部１０１から光を射出し、画像形成部１０２では光源部１０１から射出された光を変調し、投射光学系１０４を通してスクリーン１に投射を開始するステップである。
【００４８】
ステップＳ２２は、投射を開始した表示装置１００の内部で加熱された空気を表示装置１００の外部へ排気するために、排気制御部１０８が排気処理を開始するステップである。
【００４９】
ステップＳ２３は、ユーザーが本体ボタン押下や、リモコンボタン押下などの操作によって、表示装置１００のフォーカス調整を行った場合、Ｓ２４へ進み、フォーカス調整を行わなかった場合Ｓ２５へ進むための分岐のステップである。
【００５０】
ステップＳ２４は、ステップＳ２３でフォーカス調整操作を行うとした場合、投射距離計測部１０５によって取得した投射距離情報を基に、自動で投射光学系１０４のフォーカス調整を行う、もしくは、ユーザーの手動操作で投射光学系１０４のフォーカス調整を行うステップである。
【００５１】
ステップＳ２５は、フォーカスエンコーダ部１０６によって投射光学系１０４から現在のフォーカス調整情報を取得するステップである。
【００５２】
ステップＳ２６は、フォーカスエンコーダ部１０６によって投射光学系１０４から取得したフォーカス調整情報を排気方向制御部１１０によって判定するステップである。
【００５３】
ステップＳ２７は、ステップＳ２６で行われたフォーカス調整情報の判定結果から、排気方向を変更する必要があればステップＳ２８へ進み、排気方向を変更する必要が無ければ、終了ステップへ進むための分岐ステップである。
【００５４】
ステップＳ２８は、ステップＳ２７で排気方向を変更する必要があると判断された場合、排気方向制御部１１０によって排気方向変更部１０９であるルーバーを制御し、排気方向を変更することが可能なステップである。
【００５５】
図４を参照して、本発明の第３の実施例による、排気方向制御方法についての一つの例を示している。
【００５６】
ユーザーによる表示装置１００の本体ボタンやリモコンボタンの押下などの操作によって一連の処理が実行される。
【００５７】
ステップＳ３１は、表示装置１００が電源スタンバイ状態から電源オン状態へ状態遷移し、主制御処理部１０３から発行された命令により光源部１０１から光を射出し、画像形成部１０２では光源部１０１から射出された光を変調し、投射光学系１０４を通してスクリーン１に投射を開始するステップである。
【００５８】
ステップＳ３２は、投射を開始した表示装置１００の内部で加熱された空気を表示装置１００の外部へ排気するために、排気制御部１０８が排気処理を開始するステップである。
【００５９】
ステップＳ３３は、投射光学系検知部１０７が投射光学系１０４から、投射光学系１０４の持つ特性によってあらかじめ割り当てられた投射光学系１０４のＩＤ情報を取得するためのステップである。
【００６０】
ステップＳ３４は、投射光学系検知部１０７が投射光学系１０４から取得した投射光学系１０４のＩＤ情報を排気方向制御部１１０によって判定するステップである。
【００６１】
ステップＳ３５は、ステップＳ３４で行われたＩＤ情報の判定結果から、排気方向を変更する必要があればステップＳ３６へ進み、排気方向を変更する必要が無ければ、終了ステップへ進むための分岐ステップである。
【００６２】
ステップＳ３６は、ステップＳ３５で排気方向を変更する必要があると判断された場合、排気方向制御部１１０によって排気方向変更部１０９であるルーバーを制御し、排気方向を変更することが可能なステップである。
【００６３】
図５を参照して、本発明の第４の実施例による、排気方向制御方法についての一つの例を示している。
【００６４】
ユーザーによる表示装置１００の本体ボタンやリモコンボタンの押下などの操作によって一連の処理が実行される。
【００６５】
ステップＳ４１は、表示装置１００が電源スタンバイ状態から電源オン状態へ状態遷移し、主制御処理部１０３から発行された命令により光源部１０１から光を射出し、画像形成部１０２では光源部１０１から射出された光を変調し、投射光学系１０４を通してスクリーン１に投射を開始するステップである。
【００６６】
ステップＳ４２は、投射を開始した表示装置１００の内部で加熱された空気を表示装置１００の外部へ排気するために、排気制御部１０８が排気処理を開始するステップである。
【００６７】
ステップＳ４３は、投射光学系１０４から、投射光学系検知部１０７が投射光学系１０４の持つ特性情報である、投射距離・投射角度情報を取得するためのステップである。
【００６８】
ステップＳ４４は、投射光学系検知部１０７が投射光学系１０４から取得した投射光学系１０４の投射距離・投射角度情報を排気方向制御部１１０によって判定するステップである。
【００６９】
ステップＳ４５は、ステップＳ４４で行われた投射距離・投射角度情報の判定結果から、排気方向を変更する必要があればステップＳ４６へ進み、排気方向を変更する必要が無ければ、終了ステップへ進むための分岐ステップである。
【００７０】
ステップＳ４６は、ステップＳ４５で排気方向を変更する必要があると判断された場合、排気方向制御部１１０によって排気方向変更部１０９であるルーバーを制御し、排気方向を変更することが可能なステップである。
【００７１】
図６は本発明の表示装置１００の設置例を示す説明図である。表示装置１００を広い部屋の天井に設置した例である。広い部屋であるために表示装置１００とスクリーン１との距離は遠くなる。一方、表示装置１００とユーザーＡの位置関係を見ると表示装置１００に比べ、スクリーン１に近い位置で投射映像の鑑賞を行う。この場合、表示装置１００は前方へ排気を行っては、表示装置１００から排気された放熱風、もしくは排気制御部１０８であるファンのノイズによる不快感をユーザーＡに与えてしまう。本発明の表示装置１００は設置環境に応じて排気方向を変更でき、Ｂの方向へ排気を行うことによりユーザーＡに対する排気による放熱風とファンのノイズを減少させることが可能である。
【００７２】
図７は本発明の表示装置１００の設置例を示す説明図である。図６に比べ、表示装置１００を狭い部屋に設置した例である。狭い部屋であるために表示装置１００とスクリーン１との距離は近くなる。一方、表示装置１００とユーザーＡの位置関係を見ると表示装置１００に比べ、スクリーン１に対して遠い位置で投射映像の鑑賞を行う。この場合、表示装置１００では図６に示すように後方へ排気を行っては、表示装置１００から排気された放熱風、もしくは排気制御部１０８であるファンのノイズによる不快感をユーザーＡに与えてしまう。本発明の表示装置１００は設置環境に応じて排気方向を変更でき、Ｂの方向へ排気を行うことによりユーザーＡに対する排気による放熱風と、ファンのノイズを減少させることが可能である。
【００７３】
以上、本発明の好ましい実施形態について説明したが、本発明はこれらの実施形態に限定されず、その要旨の範囲内で種々の変形及び変更が可能である。
【符号の説明】
【００７４】
１  スクリーン
１００  表示装置
１０１  光源部
１０２  画像形成部
１０３  主制御処理部
１０４  投射光学系
１０５  投射距離計測部
１０６  フォーカスエンコーダ部
１０７  投射光学系検知部
１０８  排気制御部
１０９  排気方向変更部
１１０  排気方向制御部
１１１  排気口
Ａ  ユーザー
Ｂ  排気方向
【図１】
2010271579.tif 000003
【図２】
2010271579.tif 000004
【図３】
2010271579.tif 000005
【図４】
2010271579.tif 000006
【図５】
2010271579.tif 000007
【図６】
2010271579.tif 000008
【図７】
2010271579.tif 000009